(57)【要約】【課題】  ガスレンジを使用して煮炊きをする時に、鍋等の外側面を取り巻く状態で円筒の器具を据え付けることによって、従来、鍋等の外側面から離れ気味であった熱エネルギーを鍋等の外側面により多くの熱エネルギーを当てることができ、熱効率を高める器具を提供する。【解決手段】  金属板を円筒（１）に形成し、前記円筒（１）の底端部に複数の足（２）を設け、ガスレンジ（４）本体のガスバーナが中央の位置にくるように円筒（１）を据え、円筒（１）を据えた状態で各足（２）とガスレンジ（４）の天部プレートと円筒（１）の底端部に空間部分を有する空気取り入れ口（３）を設けたことを特徴とする熱効率を高める器具【選択図】図１
2014219183.tif 000002
【特許請求の範囲】
【請求項１】
金属板を円筒（１）に形成し、前記円筒（１）の底端部に複数の足（２）を設け、ガスレンジ（４）本体のガスバーナが中央の位置にくるように円筒（１）を据え、円筒（１）を据えた状態で各足（２）とガスレンジ（４）の天部プレートと円筒（１）の底端部に空間部分を有する空気取り入れ口（３）を設けたことを特徴とする熱効率を高める器具。
【発明の詳細な説明】
【技術分野】
【０００１】  本発明は、ガスレンジを使用して煮炊きをする時に、鍋等の外側面を取り巻く状態で円筒の器具を据え付けることによって、従来、鍋等の外側面から離れ気味であった熱エネルギーを鍋等の外側面により多くの熱エネルギーを当て、熱効率を高める器具に関するものである。
【背景技術】
【０００２】  従来、熱効率をよくするためには熱エネルギーのロスを少なくするために鍋等の外側面、外底面に付着した水滴を拭いたり、また、ガスレンジについている火力を調節する操作つまみでガスの出る量を調節していた。
また、円筒状と鍋が着脱可能に連結して、鍋と一体になる考案が知られている（特許文献１）。
【特許文献１】実公平０５−００３１６２号公報
【発明の概要】
【発明が解決しようとする課題】
【０００３】  そのために、次のような問題点があった。
従来、ガスレンジを使用して煮炊きをする時はガス料金が嵩まないように、鍋等の外側面及び外底面に付着した水滴を拭いたり、ガスレンジ本体についている火力を調節する操作つまみでガスの出る量を調節していた。しかし、ガスの炎が鍋等の外底部に当り、その熱エネルギーが下部外側面から次第に上部外側面に連続的に移行していくが、上部外側面部に移行するに従って、外側面部に当たる熱量が分散気味の状態になり、その逃げる熱エネルギーを鍋等の外側面により多くの熱量を当てることができなかった。また、省エネの面でも問題があった。
本発明は、以上の問題点を解決するためになされたものである。
【課題を解決するための手段】
【０００４】  金属板を円筒（１）に形成し、前記円筒（１）の底端部に複数の足（２）を設け、ガスレンジ（４）本体のガスバーナが中央の位置にくるように円筒（１）を据え、円筒（１）を据えた状態で各足（２）とガスレンジ（４）の天部プレートと円筒（１）の底端部に空間部分を有する空気取り入れ口（３）を設けた。以上を特徴とする熱効率を高める器具である。
【発明の効果】
【０００５】  本発明は、ガスレンジ本体の天部のプレートに円筒を据え付けて、鍋等で煮炊きすることによって鍋等の外側面を連続的に上ってくる熱エネルギーを、分散させずに鍋等の外側面に当てることができるため熱効率を高めることができる。その事によってガス料金の軽減及び時間の短縮になる。よって、省エネ対策に効果がある。
実験は水温１１、５°Ｃ，水量２０００ＣＣをガスレンジ（強火力バーナ使用し、火力操作つまみを全開にした。）を使用して水温が５０°Ｃ，１００°Ｃに到達する時間を計った。
結果は、従来の方法だと５０°Ｃに達する時間は３分１０秒、１００°Ｃに到達する時間は７分２０秒要した。本発明を使用すれば５０°Ｃに達する時間は２分４５秒、１００°Ｃに到達する時間は６分１５秒要した（足の長さが最良の形状で）。５０°Ｃに達する時間は２５秒短縮し、率にすれば約１３％短縮した。また、１００°Ｃに到達する時間は６５秒短縮し、率にすれば約１５％の短縮になった。
【図面の簡単な説明】
【０００６】
【図１】本発明の斜視図
【図２】本発明をガスレンジ本体に据え付けた状態図
【図３】本発明の使用状態を示す正面図
【発明を実施するための形態】
【０００７】  以下、本発明の実施の形態について説明する。
（イ）図１に示すように金属板を円筒（１）に形成する。
金属板はステンレス、アルミニウム、銅等が最適である。これに限定しなくても錆びなければ鉄板でも良い。
円筒（１）の直径は使用する鍋（５）等の直径より５０ｍｍ〜７０ｍｍ大きい方が最適である。これに限定しなくても多少の広狭は良い。しかし、極端な広狭だとガスの熱効率が悪くなる。
円筒（１）の高さは６０ｍｍ〜８０ｍｍが最適である。これに限定しなくても多少の高低は良い。しかし、極端に低い円筒（１）だとガスの熱効率が悪くなる。
（ロ）図１、図２に示すように円筒（１）の底端部に複数の足（２）を設ける。
足（２）の数は円筒（１）を支えるために最少必要数である３本が最適である。空気を十分に取り入れるために、あまり足（２）数を増やさない方が良い。
足（２）の長さは３５ｍｍが最適である。足（２）の長さを３５ｍｍにした理由は、本実施例で明記している実験結果で、ガスレンジ（４）の天部プレートと鍋（５）等の外底面の距離が３５ｍｍであったからである。この足（２）の長さが熱効率を最高にした。だから、ガスレンジ（４）に備え付けてある鍋（５）等乗せる台（五徳）の高さに等しい足（２）の長さが必要である。十分に空気を取り入れることは、熱効率を高める上で最も重要である。一般的に鍋（５）等を乗せる台（五徳）の高さは３５ｍｍ〜４０ｍｍである。
足（２）の形状は棒状が最適である。これに限定しなくても板状でも空気の取り入れを妨げなければ良い。
そして、ガスレンジ（４）本体に円筒（１）を据え付けた際、各足（２）とガスレンジ（４）の天部プレートと円筒（１）の底端部に空間部分を有する部分を空気取り入れ口（３）とする。
本発明は、以上の構成からなるものである。
【０００８】  これを使用するときは、ガスレンジ（４）本体の天部プレート上にガスバーナが中央の位置にくるように円筒（１）を据え付けて、その円筒（１）の中央に鍋（５）等を五徳の上に載せて煮炊きをする。
【実施例】
【０００９】  従来のガスレンジ（４）のみを使った方法と本発明の円筒（１）素材はステンレスを使用した方法の２通りで水を沸騰させた実験結果を下記に示す。
アルミ製鍋（５）を使用し、蓋をしない。室温１２°Ｃ、水温１１、５°Ｃ、水量２０００ＣＣ、ガスレンジ（４）の強火力バーナ使用で火力操作つまみを全開にする。
１、従来の方法の場合は５０°Ｃに達するのに３分１０秒要し、１００°Ｃに到達するのに７分２０秒要した。
２、本発明の円筒（１）を使用した方法の場合、円筒（１）の直径は鍋（５）の直径より６０ｍｍ大きい。
イ、足（２）の長さ２０ｍｍの場合は、５０°Ｃに達するのに２分５０秒要し、１００°Ｃに到達するのに６分４５秒要した。
ロ、足（２）の長さ３０ｍｍの場合は、５０°Ｃに達するのに２分４５秒要し、１００°Ｃに到達するのに６分２５秒要した。
ハ、足（２）の長さ３５ｍｍの場合は、５０°Ｃに達するのに２分４５秒要し、１００°Ｃに到達するのに６分１５秒要した。
円筒（１）を支える足（２）の長さを２０ｍｍ、３０ｍｍ、３５ｍｍと長さを変えて５０°Ｃ、１００°Ｃに達する時間を計った結果、足（２）の長さを３５ｍｍにした時に要した時間が短く熱効率が最も良い結果がでた。この長さは五徳の高さに等しい。
実験の結果、従来の方法であれば５０°Ｃに達するには３分１０秒要し、１００°Ｃに到達するには７分２０秒要した。これに対して円筒（１）を使用した上記ハの場合は５０°Ｃに達するには２分４５秒要し、１００°Ｃに到達するには６分１５秒要した。５０°Ｃに達するには２５秒短縮した。率にすれば約１３％短縮したことになり、また、１００°Ｃに到達するには６５秒短縮した。率にすれば約１５％短縮したことになる。
ガスを完全燃焼させ熱効率を高めるためには、空気を十分に取り入れる必要があり、空気取り入れ口（３）の足（２）の長さが重要である。
【符号の説明】
【００１０】１  円筒
２  足
３  空気取り入れ口
４  ガスレンジ
５  鍋
【図１】
2014219183.tif 000003
【図２】
2014219183.tif 000004
【図３】
2014219183.tif 000005